(57)【特許請求の範囲】
【請求項１】
被検者の呼吸気の流量を測定する測定部が接続される管状部材を有するエアウェイアダプタであって、
前記管状部材は、
前記呼吸気が通過する通気路と、
前記通気路内を通過する前記呼吸気に対して差圧を発生させる抵抗部と、
を備え、
前記通気路内に、前記抵抗部として、少なくとも２つの仕切部材が配置されており、
前記２つの仕切部材は、互いに離れた状態で前記管状部材の長軸方向に沿って前記通気路内に設けられるとともに、前記２つの仕切部材の側面は、前記通気路の内壁面から離れており、
前記管状部材の長軸方向に対して垂直に交差する方向に沿って見たとき、前記仕切部材の略中央部における前記通気路の幅の合計は、前記仕切部材の長軸方向の端部における前記通気路の幅の合計よりも、前記通気路がテーパーに絞られる個所が存在することによって狭くなっている、
エアウェイアダプタ。
【請求項２】
前記仕切部材の前記側面は、前記管状部材の軸方向に対して平行である、
請求項１に記載のエアウェイアダプタ。
【請求項３】
少なくとも２つの前記仕切部材は、互いに平行に設けられている、
請求項１または請求項２に記載のエアウェイアダプタ。
【請求項４】
前記仕切部材には、前記管状部材の外部から照射される検出光を透光するための穴が形成されている、
請求項１から請求項３のいずれか一項に記載のエアウェイアダプタ。
【請求項５】
前記管状部材の一端側には、前記被検者への吸気を供給する吸気供給部に接続される第一アダプタ部が設けられ、
前記管状部材の他端側には、前記被検者からの呼気を出力する呼気出力部に接続される第二アダプタ部が設けられ、
前記第一アダプタ部は、前記仕切部材が設けられた前記通気路の一端に連結する第一アダプタ通気路と、前記第一アダプタ通気路の外側を覆うように形成された第一アダプタ接続部とを有し、
前記第二アダプタ部は、前記仕切部材が設けられた前記通気路の他端に連結する第二アダプタ通気路と、前記第二アダプタ通気路の外側を覆うように形成された第二アダプタ接続部とを有する、
請求項１から請求項４のいずれか一項に記載のエアウェイアダプタ。
【請求項６】
前記第二アダプタ通気路内に、前記第二アダプタ通気路内を通過する空気を拡散させる拡散部が設けられている、
請求項５に記載のエアウェイアダプタ。
【請求項７】
被検者の呼吸気の流量を測定する測定部が接続される管状部材を有するエアウェイアダプタであって、
前記管状部材は、
前記呼吸気が通過する通気路と、
前記通気路内を通過する前記呼吸気に対して差圧を発生させる抵抗部と、
を備え、
前記抵抗部として、少なくとも２つの仕切部材が、互いに離れた状態で前記管状部材の軸方向に沿って前記通気路内に設けられ、
前記仕切部材の側面は、前記通気路の内壁面から離れており、
前記管状部材の一端側には、前記被検者への吸気を供給する吸気供給部に接続される第一アダプタ部が設けられ、
前記管状部材の他端側には、前記被検者からの呼気を出力する呼気出力部に接続される第二アダプタ部が設けられ、
前記第一アダプタ部は、前記仕切部材が設けられた前記通気路の一端に連結する第一アダプタ通気路と、前記第一アダプタ通気路の外側を覆うように形成された第一アダプタ接続部とを有し、
前記第二アダプタ部は、前記仕切部材が設けられた前記通気路の他端に連結する第二アダプタ通気路と、前記第二アダプタ通気路の外側を覆うように形成された第二アダプタ接続部とを有し、
前記第二アダプタ通気路内に、前記第二アダプタ通気路内を通過する空気を拡散させる拡散部が設けられている、
エアウェイアダプタ。
【請求項８】
被検者の呼吸気の流量を測定する測定部が接続される管状部材を有するエアウェイアダプタであって、
前記管状部材は、
前記呼吸気が通過する通気路と、
前記通気路内を通過する前記呼吸気に対して差圧を発生させる抵抗部と、
を備え、
前記通気路の内壁面に凸状部が形成されており、
前記抵抗部として、少なくとも２つの仕切部材が、互いに離れた状態で前記管状部材の軸方向に沿って前記通気路内に設けられ、
前記仕切部材の側面は、前記通気路の内壁面から離れており、
前記管状部材を当該管状部材の軸方向に対して垂直に交差する方向から見たとき、前記２つの仕切部材は、前記凸状部に対して少なくとも部分的に重なる位置に配置されている、
エアウェイアダプタ。
【請求項９】
請求項１から請求項８のいずれかに記載のエアウェイアダプタと、
前記被検者の呼吸気の流量を測定する測定部と、
を備える、呼吸気流量センサ。
【発明の詳細な説明】
【技術分野】
【０００１】
本発明は、被検者の呼吸気の流量を測定する呼吸気流量センサ、および呼吸気流量センサに用いられるエアウェイアダプタに関するものである。
【背景技術】
【０００２】
従来、低換気状態や呼吸停止状態の被検者に対して、送気用バック付きマスクにて被検者の口腔から鼻腔までを覆い、送気用バック（アンビューバッグやジャクソンリースバッグ等）を医療従事者等が押して被検者の肺に空気を送る換気方法が一般的に行なわれている（特許文献１参照）。
【０００３】
従来の換気方法を行なう場合、マスクと被検者の顔面との間に隙間があると適切に換気が行なわれない。このため、換気の際に被検者の胸が膨張し胸郭が上昇しているか否かを医療従事者等が目視で確認している。
【０００４】
また、換気不全などで人工呼吸器を使用することも従来から一般的に行われている。
【先行技術文献】
【特許文献】
【０００５】
【特許文献１】特開２０１１−１１５５４３号公報
【発明の概要】
【発明が解決しようとする課題】
【０００６】
目視による確認は、換気量の大きい成人では有効であるが、換気量の小さい幼児や乳児では困難な場合がある。そこで、本発明者は、従来の差圧式流量計によって換気時の被検者の流量を計測することを試したが、次の問題点があった。
【０００７】
つまり、乳幼児用の小さい換気量を精度よく測定するために必要な差圧信号を得るためには、流量計のオリフィス（オリフィス板の開口部）を絞る必要がある。しかし、オリフィスを絞ると、流量計の通気路内の抵抗が高くなってしまい、その抵抗のために乳幼児等が呼気を排出しにくくなってしまう。
【０００８】
そこで、本発明は、通気路内の抵抗の増大を抑制しつつ、比較的に小さい換気量を測定するために必要な差圧信号を得ることが可能なエアウェイアダプタおよび呼吸気流量センサを提供することを目的とする。
【課題を解決するための手段】
【０００９】
上記目的を達成するために、本発明のエアウェイアダプタは、
被検者の呼吸気の流量を測定する測定部が接続される管状部材を有するエアウェイアダプタであって、
前記管状部材は、
前記呼吸気が通過する通気路と、
前記通気路内を通過する前記呼吸気に対して差圧を発生させる抵抗部と、
を備え、
前記抵抗部として、少なくとも２つの仕切部材が、互いに離れた状態で前記管状部材の軸方向に沿って前記通気路内に設けられ、
前記仕切部材の側面は、前記通気路の内壁面から離れている。
【００１０】
従来、差圧式流量計において流量測定の感度や精度を調整する際には、オリフィス板の開口部の大きさを調整して行なっていた。この方法は、開口部の大きさの調整に伴い流体に対する抵抗値も変化し易いものであった。
上記構成によれば、抵抗部として、少なくとも２つの仕切部材が互いに所定間隔離れた状態で、管状部材の軸方向に沿って通気路内に設けられている。この場合、仕切部材は、管状部材の軸方向に対して略垂直に交差する仕切部材の端面による抵抗だけでなく、軸方向に沿って配置される仕切部材の側面による抵抗によっても、通気路内を流れる流体（呼気や吸気）に対して圧力損失を一定以上発生させる。例えば通気路内を通過する流体の量が少ない状態において、通気路内で一定以上の圧力損出を発生させようとする場合、側面の面積を増加して圧力損出を発生させたときに生じる抵抗値の変化分は、端面の面積を増加して圧力損出を発生させたときに生じる抵抗値の変化分よりも小さいと考えられる。このため、仕切部材を設けて管状部材の軸方向に沿って配置することにより、通気路内における抵抗の増大を抑制しつつ、比較的に小さい換気量を測定するために必要な差圧信号を得ることができる。
【００１１】
また、本発明の呼吸気流量センサは、上記のエアウェイアダプタと、被検者の呼吸気の流量を測定する測定部と、を備える。
【発明の効果】
【００１２】
本発明のエアウェイアダプタおよび呼吸気流量センサによれば、通気路内の抵抗の増大を抑制しつつ、比較的に小さい換気量を測定するために必要な差圧信号を得ることができる。
【図面の簡単な説明】
【００１３】
【図１】本発明の実施形態に係るエアウェイアダプタを示す図である。
【図２】エアウェイアダプタの上面図である。
【図３】エアウェイアダプタの正面図である。
【図４】エアウェイアダプタの底面図である。
【図５】エアウェイアダプタの左側面図である。
【図６】エアウェイアダプタの右側面図である。
【図７】図１のＡ−Ａ線とＢ−Ｂ線とにおける一部断面図である。
【図８】図２のＣ−Ｃ線における断面図である。
【図９】（ａ），（ｂ）は従来の構成による作用を説明するための図である。
【図１０】（ａ），（ｂ）は本発明の構成による作用を説明するための図である。
【図１１】測定部が取付られたエアウェイアダプタを示す図である。
【図１２】図９とは別の測定部が装着されたエアウェイアダプタを示す図である。
【図１３】（ａ）はエアウェイアダプタの変形例の断面図であり、（ｂ）は変形例の左側面図である。
【図１４】変形例のエアウェイアダプタの使用例を示す図である。
【発明を実施するための形態】
【００１４】
以下、本実施形態の一例について、図面を参照して詳細に説明する。エアウェイアダプタ１は、例えば、呼吸管理を要する被検者の呼吸気の流量を測定する際に用いられるものである。エアウェイアダプタ１は、特に、換気量の小さい被検者（例えば乳幼児や高齢者等）に対して使用されうる。
【００１５】
図１〜図８に示すように、エアウェイアダプタ１は、全体的に略管形状を有する管状部材１０を備える。管状部材１０には、呼吸気の流量を測定するための測定部が接続される。
管状部材１０は、第一アダプタ部１１と、第二アダプタ部１２と、取付部１３とから構成されている。
【００１６】
第一アダプタ部１１は、管状部材１０の一端側に設けられており、円筒形状を有している（図１，図６〜８参照）。第一アダプタ部１１の内部には、呼吸気が通過する第一アダプタ通気路１１ａが管状部材１０の軸方向に沿って設けられている。本例の第一アダプタ通気路１１ａは、矩形状に形成されている。第一アダプタ通気路１１ａの外側には、第一アダプタ通気路１１ａを覆うように形成された第一アダプタ接続部１１ｂが設けられている。
【００１７】
第一アダプタ部１１は、第一アダプタ接続部１１ｂを介して、アンビューバッグ、ジャクソンリースバッグ、人工呼吸器等の外部機器（吸気供給部の一例）に接続される。外部機器から供給されるエア（被検者への吸気）は、第一アダプタ通気路１１ａの開口１１ｃから第一アダプタ通気路１１ａ内へ導入される。
【００１８】
第二アダプタ部１２は、第一アダプタ部１１とは反対側の管状部材１０の他端側に設けられており、円筒形状を有している（図１，５，７，８参照）。第二アダプタ部１２は、第一アダプタ部１１より大きい径の円筒形状に形成されている。第二アダプタ部１２の内部には、呼吸気が通過する第二アダプタ通気路１２ａが管状部材１０の軸方向に沿って設けられている。本例の第二アダプタ通気路１２ａは、矩形状に形成されている。第二アダプタ通気路１２ａの外側には、第二アダプタ通気路１２ａを覆うように形成された第二アダプタ接続部１２ｂが設けられている。
【００１９】
第二アダプタ部１２は、第二アダプタ接続部１２ｂを介して、気管チューブ、マスク等の被検者側の機器（呼気出力部の一例）に接続される。被検者から排出されるエア（呼気）は、第二アダプタ通気路１２ａの開口１２ｃから第二アダプタ通気路１２ａ内へ導入される。
【００２０】
取付部１３は、管状部材１０の中央部に設けられており、第一アダプタ部１１と第二アダプタ部１２の間に位置している。取付部１３の内部には、呼吸気が通過する取付部通気路１３ａが管状部材１０の軸方向に沿って設けられている（図８参照）。
【００２１】
取付部通気路１３ａ内には、複数（本例では２枚）の板状部材１４（仕切部材の一例）が設けられている（図５〜８参照）。板状部材１４は、互いに離れた状態で管状部材１０の軸方向に沿って並設されている。本例では、２枚の板状部材１４は、互いに平行に設けられている。板状部材１４は、板状部材１４の側面１４ａが管状部材１０の正面（または背面）を向くように設けられている。本例では、取付部通気路１３ａの内壁に凸状部１５が形成されて取付部通気路１３ａが狭められており（絞られており）、両凸状部１５の間に２枚の板状部材１４が設けられている。
【００２２】
板状部材１４の側面１４ａは、取付部通気路１３ａの内壁面（凸状部１５の表面１５ａ）から離れた状態で設けられている。また、側面１４ａは、管状部材１０の軸方向に対して平行に設けられている。板状部材１４が設けられることにより、取付部通気路１３ａ内は、管状部材１０の軸方向に沿って並設する複数列（本例では３列）の通気路に区分された構成とされている。そして、２枚の板状部材１４の両側面と、２つの凸状部１５の表面１５ａとを足し合わせた６つの面が、管状部材１０の軸方向へ沿って（呼吸気の流れ方向に沿って）設けられている。
【００２３】
なお、取付部通気路１３ａ内に設けられる部材は、管状部材１０の軸方向へ沿った面を有する部材であれば上記板状部材１４に限定されるものではなく、例えば曲面を有する管状の部材を複数設けるようにしても良い。
【００２４】
２枚の板状部材１４の略中央部には、それぞれ穴１４ｂが形成されている（図７，８参照）。穴１４ｂは、互いに対向して設けられており、管状部材１０の外部から照射される検出光が透光される。また、取付部１３の壁（凸状部１５が形成されている部分の壁）には、取付部通気路１３ａに連通する開口として窓部１５ｂが互いに対向して形成されている（図２，７，８参照）。穴１４ｂと窓部１５ｂとは、略同じ大きさに形成されており、同軸上に並んで設けられている。取付部１３の窓部１５ｂが形成されている部分１３ｂ（図３参照）には、検出光を送受して呼吸気の特定成分の濃度を測定する測定部が装着されうる。
【００２５】
管状部材１０の軸方向において取付部１３の両端側には、管状部材１０の軸方向に対して直角の方向に伸びる圧取出部２１ａ，２１ｂが設けられている（図１，３，４，８参照）。圧取出部２１ａ，２１ｂは、取付部通気路１３ａの壁を貫通して設けられている。呼吸気の流量を測定するための測定部は、圧取出部２１ａ，２１ｂを介して装着されうる。
【００２６】
第一アダプタ部１１の第一アダプタ通気路１１ａは、取付部１３の取付部通気路１３ａの一端に連結されている（図７，８参照）。また、第二アダプタ部１２の第二アダプタ通気路１２ａは、第一アダプタ通気路１１ａとは反対側の取付部通気路１３ａの他端に連結されている。第一アダプタ通気路１１ａと取付部通気路１３ａと第二アダプタ通気路１２ａは、管状部材１０内において、管状部材１０の軸方向に沿って連通する通気路を形成している。
【００２７】
このように構成された管状部材１０の通気路において、外部機器から供給される被検者への吸気は、第一アダプタ通気路１１ａから取付部通気路１３ａを通過し、第二アダプタ通気路１２ａへと至る。また、被検者から排出される呼気は、第二アダプタ通気路１２ａから取付部通気路１３ａを通過し、第一アダプタ通気路１１ａへと至る。
【００２８】
ところで、被検者の呼吸換気を行う場合、呼吸気流量センサを用いて差圧により流量計測を行っている。一般的には、開口部を有するオリフィス板を使用したオリフィス流量計が知られており、オリフィス板の前後における呼吸気の差圧に基づいて流量を算出する。呼吸気の流量と差圧との関係は、下記の式１で表される。
【数１】
0006644505.tif 000002
但し、Ｑ：流量、Ｐ：差圧、ｋ：係数
【００２９】
このとき、呼吸換気が行われる対象の被検者には、比較的に換気量の大きい大人だけでなく例えば乳幼児や高齢者等のように換気量の小さい被検者もいる。換気量の小さい乳幼児等に対して呼吸換気を行う場合、特に換気量を精度良く調整することが重要となる。換気量を精度よく測定するために必要な差圧信号を得るためには、オリフィス板の開口部を絞る必要があるが、開口部を絞ると、流量計の通気路内の抵抗が高くなってしまい、その抵抗のために乳幼児等が呼気を排出しにくくなってしまう。
【００３０】
そこで、本発明者は、換気量を精度よく測定するために必要な差圧信号を得ることができるとともに、乳幼児等が困難なく呼気を排出することができる構成を思案した。そして、必要な差圧信号を得るための構成として、開口部の絞り（大きさ）以外の他の要因に着目した。
【００３１】
図９（ａ）は、通気路５１の内壁に凸状部５２が対向して設けられている管状部材５０の一例を示す。凸状部５２は、呼吸気の流れ方向に沿った長さＬ０を有している。また、図９（ｂ）は、（ａ）の構成を有する通気路５１に呼吸気を流したときの流量と差圧との関係をグラフに示す。この場合、流量（ｙ）と差圧（ｘ）との関係は、例えばｙ＝ａｘ２＋ｂｘという二次関数式でモデル化することができる。
【００３２】
差圧に基づいて流量を測定する場合、測定精度を確保するためには、流量と差圧との関係は、図９（ｂ）のグラフにおける一次関数直線６１の関係にあることが望ましい。呼吸気の流量を測定する既存の呼吸気流量センサは、比較的に換気量の大きい範囲（例えば流量１．０［Ｌ／Ｓ］以上）での測定を対象とするものが多く、その範囲では図９（ｂ）のグラフにおける二次関数曲線６２に示すように、一次関数直線６１に近い値の変化を示している。しかしながら、換気量の小さい範囲（例えば流量１．０［Ｌ／Ｓ］以下）では、二次関数曲線６２に示すように、一次関数直線６１から離隔した値の変化（流量の変化に対して差圧の変化が小さい）を示している。このような変化を示す範囲では、外部要因等により差圧出力にノイズが発生した場合、差圧に基づいて算出される流量の値が不安定になりやすい。
【００３３】
この場合、図９（ａ）の構成においても、凸状部１５の高さを矢印５３の方向へ変化させる（通気路５１の絞りを変化させる）ことにより、二次関数曲線６３に示すように流量１．０［Ｌ／Ｓ］以下における差圧の値を一次関数直線６１に近づけることは可能である。しかしながら、通気路５１の大きさ（絞り）だけを変化させた場合、通気路５１を通過する呼吸気に対しての抵抗が大きく増大してしまう。また、流量が大きい範囲においての差圧が大きく変化するため流量が大きい範囲での測定が困難になる。
【００３４】
本発明者は、実際に計測して、二次関数曲線（ｙ＝ａｘ２＋ｂｘ）を一次関数直線に近似させる分析を行うなかで、二次関数曲線をシフトさせる要因として、通気路５１の絞り（大きさ）の他に、長さＬ０を有する凸状部５２の表面積が影響していることに着目した。
【００３５】
そこで、図１０（ａ）に示すように、呼吸気の流れ方向に沿った側面１４ａを有する板状部材１４を凸状部１５の間に配置した。この場合、呼吸気の流れに対して抵抗となる要素には、板状部材１４の端面１６および凸状部１５の端面１６と、板状部材１４の側面１４ａおよび凸状部１５の表面１５ａとが有る。本発明者は、実測において、端面１６の面積（取付部通気路１３ａの絞り）を変化させると上記と同様に呼吸気に対しての抵抗が大きく増大するのに対して、側面１４ａの面積を変化させると呼吸気に対しての抵抗の増加を抑制しつつ、差圧と流速の関係（二次関数曲線）を調整できることを発見した。この調整により、図１０（ｂ）の二次関数曲線１７に示すように、流量１．０［Ｌ／Ｓ］以下における差圧の値を一次関数直線６１に近づけつつ、流量１．０［Ｌ／Ｓ］以上における差圧の値を一次関数直線６１に近い値に維持することができることを発見した。
【００３６】
本発明の構成によれば、抵抗部として、少なくとも２つの板状部材１４が互いに所定間隔離れた状態で、管状部材１０の軸方向に沿って通気路内に設けられている。この場合、板状部材１４は、管状部材１０の軸方向に対して略垂直に交差する板状部材１４の端面１６および凸状部１５の端面１６による抵抗だけでなく、軸方向に沿って配置される板状部材１４の側面１４ａおよび凸状部１５の表面１５ａによる抵抗によっても、取付部通気路１３ａ内を流れる呼吸気に対して圧力損失を一定以上発生させると考えられる。このため、端面１６の表面積（絞りによる取付部通気路１３ａの大きさ）を維持しつつ、側面１４ａの表面積を大きくすることにより、取付部通気路１３ａにおける抵抗の増大を抑制しつつ、比較的に小さい換気量を測定するために必要な差圧信号を得ることができる。これにより、外部要因等により差圧出力にノイズが発生した場合でも、差圧に基づいて算出される流量の変動が小さく比較的安定した値とすることができる。
【００３７】
また、板状部材１４の側面１４ａは、管状部材１０の軸方向に対して平行に設けられているため、更に取付部通気路１３ａにおける抵抗の増大を抑制しつつ、比較的に小さい換気量を測定するために必要な差圧信号を得ることができる。
【００３８】
また、板状部材１４は、互いに平行に設けられているため、更に抵抗の増大を抑制しつつ、必要な差圧信号を得ることができる。
【００３９】
また、板状部材１４には、管状部材１０の外部から照射される検出光を透光するための穴１４ｂが形成されているため、例えば光学センサを取付けることで、被検者の呼気に含まれる例えば二酸化炭素等の濃度を測定することができる。
【００４０】
また、規格により大きさが設定されている第一アダプタ接続部１１ｂの内側に、板状部材１４が設けられた取付部通気路１３ａの大きさに対応する大きさの第一アダプタ通気路１１ａが形成され、同様に第二アダプタ接続部１２ｂの内側に第二アダプタ通気路１２ａが形成されている。このため、乳幼児や高齢者のように一呼吸における換気量が小さい被検者に適した容積を有する通気路を形成することができる。
【００４１】
図１１に示すように、エアウェイアダプタ１は、管状部材１０に呼吸気の流量を測定するための測定部２０を取付けることにより、呼吸気流量センサ１００として構成されうる。
【００４２】
測定部２０は、取付部１３の圧取出部２１ａ，２１ｂを介して取り付けられる。圧力ポート２２ａ，２２ｂの一端側が、それぞれ圧取出部２１ａ，２１ｂの開口２３ａ，２３ｂ（図２，７参照）を介して取付部通気路１３ａ内に突出するように配置される。また、圧力ポート２２ａ，２２ｂの他端側は、それぞれ圧取出部２１ａ，２１ｂを介して測定部２０に接続される。呼吸気の流れ方向における板状部材１４の両端間の圧力を圧力ポート２２ａ，２２ｂを介して検知し、測定部２０によりその差圧を検出することにより管状部材１０内を流れる呼吸気の流量が算出される。
【００４３】
このような構成によれば、乳幼児や高齢者等に対して換気を行っている際、医療従事者は、目視でなく呼吸気流量センサの出力値によって、換気が適切に行われているか否かを判断することができる。
【００４４】
図１２に示すように、エアウェイアダプタ１は、管状部材１０に呼吸気の特定成分の濃度を測定する測定部３０を装着することにより、呼吸気濃度センサ２００として構成されうる。
【００４５】
測定部３０には、例えば矩形状に開口する凹部（図示省略）が形成されている。測定部３０は、凹部を介して、管状部材１０の軸方向に対する直角の方向から取付部１３を挟むようにして装着される。測定部３０の凹部には発光素子（ＬＥＤ等）と受光素子とが設けられており、装着されたときにこれらの素子が取付部１３の窓部１５ｂの外側の位置に配置される。発光素子から出射された赤外光が取付部１３の窓部１５ｂおよび板状部材１４の穴１４ｂを通過して取付部通気路１３ａを横切る。取付部通気路１３ａを通る呼吸気に含まれるガス（例えば二酸化炭素）の濃度に応じて吸収される赤外光の量が変化するため、受光部で受光される赤外光の強度が変化する。受光強度に応じた出力信号をモニタすることにより呼吸気に含まれる所定のガス成分が検出される。
【００４６】
このような構成によれば、エアウェイアダプタ１を介して換気される被検者の呼吸気に含まれる例えば二酸化炭素の濃度を測定することができる。
【００４７】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００４８】
例えば、図１３（ａ），（ｂ）に変形例のエアウェイアダプタ１Ａを示す。このエアウェイアダプタ１Ａでは、第二アダプタ通気路１２ａの開口１２ｃ内に拡散部１８が設けられている。なお、エアウェイアダプタ１Ａは、拡散部１８を設けた点以外は上述のエアウェイアダプタ１と同様の構成である。本例の拡散部１８は、棒状の部材であり、第二アダプタ通気路１２ａと一体的に形成されており、開口１２ｃを２つに区分している。この拡散部１８は、第二アダプタ通気路１２ａ内にジェット流が発生することを抑制する機能を有する。拡散部１８の形状や配置については、ジェット流の発生を抑制できるものであれば、適宜変更しても良い。
【００４９】
図１３に例示したエアウェイアダプタ１Ａは、例えば、挿管チューブに使用するのに適している。一般に、比較的に細い内径を有する挿管チューブを使用する場合、エアウェイアダプタ内にジェット流が発生してその影響により、換気量を測定する精度が低下してしまうことが懸念される。しかし、図１３に例示したエアウェイアダプタ１Ａであれば、拡散部１８により第二アダプタ通気路１２ａ内にジェット流が発生することを抑制されるため、換気量を測定する精度が低下しにくくなる。
【符号の説明】
【００５０】
１：エアウェイアダプタ、１０：管状部材、１１：第一アダプタ部、１１ａ：第一アダプタ通気路、１１ｂ：第一アダプタ接続部、１１ｃ：開口、１２：第二アダプタ部、１２ａ：第二アダプタ通気路、１２ｂ：第二アダプタ接続部、１２ｃ：開口、１３：取付部、１３ａ：取付部通気路、１４：板状部材（抵抗部の一例、仕切部材の一例）、１４ａ：側面、１４ｂ：穴、１５：凸状部、１５ａ：表面、１５ｂ：窓部、１６：端面、２１ａ，２１ｂ：圧取出部
【図１】
0006644505.tif 000003
【図２】
0006644505.tif 000004
【図３】
0006644505.tif 000005
【図４】
0006644505.tif 000006
【図５】
0006644505.tif 000007
【図６】
0006644505.tif 000008
【図７】
0006644505.tif 000009
【図８】
0006644505.tif 000010
【図９】
0006644505.tif 000011
【図１０】
0006644505.tif 000012
【図１１】
0006644505.tif 000013
【図１２】
0006644505.tif 000014
【図１３】
0006644505.tif 000015
【図１４】
0006644505.tif 000016